【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
外部情報処理装置とネットワークを介して通信可能な情報処理装置において、
前記外部情報処理装置に固定的に付加された固定識別情報と、外部情報処理装置に可変的に付加された可変識別情報を管理する管理手段と、
通信可能な外部情報処理装置から、固定識別情報、並びに、可変識別情報を、ネットワークから取得する取得手段と、
前記取得手段が取得した固定識別情報が、前記管理手段が管理する固定識別情報と一致するか否か、及び、前記取得手段が取得した可変識別情報が、前記管理手段が管理する可変識別情報と一致するか否かを判断する判断手段と、
前記取得手段が取得した固定識別情報は、前記管理手段が管理する固定識別情報と一致するが、前記取得手段が取得した可変識別情報が、前記管理手段が管理する可変識別情報と一致しないと前記判断手段が判断した場合には、前記取得手段が取得した可変識別情報に基づき、前記固定識別情報を有する外部情報処理装置を制御するための制御プログラムの設定を変更する変更手段とを特徴とする情報処理装置。
【請求項２】
前記取得手段は、前記ネットワークから前記ネットワークに着脱可能な周辺機器に対応する固定識別情報、並びに、可変識別情報を繰り返し取得するものであって、
前記判断手段は、前記取得手段において取得処理が行われるのに応答して、前記判断手段における判断処理を行なうものであることを特徴とする請求項１に記載の情報処理装置。
【請求項３】
前記管理手段は、前記ネットワークを介して通信可能な外部情報処理装置の固定識別情報、並びに、可変識別情報をリストとして管理するものであり、
外部情報処理装置の固定識別情報並びに可変識別情報を、前記取得手段が取得するのに応答して、前記取得手段が取得した前記可変識別情報と、前記固定識別情報とが、前記リスト内にあるか否かを判断することによって、前記判断手段は判断処理を行なうことを特徴とする請求項２に記載の情報処理装置。
【請求項４】
前記取得手段は、前記前記通信可能な外部情報処理装置に付加された固定識別情報、並びに、可変識別情報を、前記外部情報処理装置に対して探索要求を発行して取得するものであり、前記取得手段からの要求に対する応答を取得した場合であって、かつ、前記取得手段が取得した応答に含まれる固定識別情報は、前記管理手段が管理する固定識別情報と一致するが、前記取得手段が取得した可変識別情報は前記管理手段が管理する可変識別情報と一致しないと前記判断手段が判断した場合には、前記可変識別情報を用いて、前記変更手段が前記固定識別情報を有する外部情報処理装置を制御するための制御プログラムの設定を変更した後に、前記外部情報処理装置に対するジョブの実行要求を行なうようジョブ処理を制御し、前記取得手段からの応答を取得できなかった場合には、前記ジョブの実行要求を行わないようジョブ処理を制御するジョブ制御手段を有することを特徴とする請求項１乃至３に記載のいずれかの情報処理装置。
【請求項５】
前記外部情報処理装置は、前記探索要求に付加された固定識別情報、又は、可変識別情報が、前記外部情報処理装置の識別情報が自身の識別情報と一致する場合、該探索要求を発行した情報処理装置に対し前記外部情報処理装置に対応する可変識別情報又は固定識別情報を含む応答を行うものであって、前記取得手段は、前記探索要求に対する、前記応答を取得するまで待つ状態となることを特徴とする請求項４に記載の情報処理装置。
【請求項６】
外部情報処理装置とネットワークを介して通信可能な情報処理装置における方法において、
前記外部情報処理装置に固定的に付加された固定識別情報と、外部情報処理装置に可変的に付加された可変識別情報を管理する管理ステップと、
通信可能な外部情報処理装置から、固定識別情報、並びに、可変識別情報を、ネットワークから取得する取得ステップと、
前記取得ステップが取得した固定識別情報が、前記管理ステップにて管理される固定識別情報と一致するか否か、及び、前記取得ステップで取得した可変識別情報が、前記管理ステップで管理される可変識別情報と一致するか否かを判断する判断ステップと、
前記取得ステップが取得した固定識別情報は、前記管理ステップが管理する固定識別情報と一致するが、前記取得ステップが取得した可変識別情報が、前記管理ステップで管理される可変識別情報と一致しないと前記判断ステップが判断した場合には、前記取得ステップが取得した可変識別情報に基づき、前記固定識別情報を有する外部情報処理装置を制御するための制御プログラムの設定を変更する変更ステップとを特徴とする情報方法。
【請求項７】
前記取得ステップは、前記ネットワークから前記ネットワークに着脱可能な周辺機器に対応する固定識別情報、並びに、可変識別情報を繰り返し取得するものであって、
前記取得ステップにおいて取得処理が行われるのに応答して、前記判断ステップにおける判断処理が行われることを特徴とする請求項６に記載の情報処理方法。
【請求項８】
前記管理ステップでは、前記ネットワークを介して通信可能な外部情報処理装置の固定識別情報、並びに、可変識別情報をリストとして管理し、
外部情報処理装置の固定識別情報並びに可変識別情報を、前記取得ステップで取得するのに応答して、前記取得ステップで取得した前記可変識別情報と、前記固定識別情報とが、前記リスト内にあるか否かを判断することによって、前記判断ステップにおける判断処理を行なうことを特徴とする請求項６又は７に記載の情報処理方法。
【請求項９】
前記取得ステップは、前記前記通信可能な外部情報処理装置に付加された固定識別情報、並びに、可変識別情報を、前記外部情報処理装置に対して探索要求を発行して取得するものであり、
前記取得ステップからの要求に対する応答を取得した場合であって、かつ、前記取得ステップが取得した応答に含まれる固定識別情報は、前記管理ステップが管理する固定識別情報と一致するが、前記取得ステップが取得した可変識別情報は前記管理ステップが管理する可変識別情報と一致しないと前記判断ステップにて判断された場合には、前記可変識別情報を用いて、前記変更ステップにて前記固定識別情報を有する外部情報処理装置を制御するための制御プログラムの設定を変更した後に、前記外部情報処理装置に対するジョブの実行要求を行うようジョブ処理を制御し、前記取得ステップからの応答を取得できなかった場合には、前記ジョブの実行要求を行わないようジョブ処理を制御するジョブ制御ステップを有することを特徴とする請求項６乃至８のいずれかに記載の情報処理方法。
【請求項１０】
前記外部情報処理装置は、前記探索要求に付加された固定識別情報、又は、可変識別情報が、前記外部情報処理装置の識別情報が自身の識別情報と一致する場合、該探索要求を発行した情報処理装置に対し前記外部情報処理装置に対応する可変識別情報又は固定識別情報を含む応答を行うものであって、前記取得工程では、前記探索要求の発行に対する、前記応答を取得するまで待つ状態となることを特徴とする請求項９に記載の情報処理方法。
【請求項１１】
外部情報処理装置とネットワークを介して通信可能な情報処理装において実行される制御プログラムにおいて、
前記外部情報処理装置に固定的に付加された固定識別情報と、外部情報処理装置に可変的に付加された可変識別情報を管理する管理ステップと、
通信可能な外部情報処理装置から、固定識別情報、並びに、可変識別情報を、ネットワークから取得する取得ステップと、
前記取得ステップで取得された固定識別情報が、前記管理ステップが管理する固定識別情報と一致するか否か、及び、前記取得ステップで取得された可変識別情報が、前記管理ステップが管理する可変識別情報と一致するか否かを判断する判断ステップと、
前記取得ステップが取得した固定識別情報は、前記管理ステップが管理する固定識別情報と一致するが、前記取得ステップが取得した可変識別情報が、前記管理ステップが管理する可変識別情報と一致しないと前記判断ステップが判断した場合には、前記取得ステップが取得した可変識別情報に基づき、前記固定識別情報を有する外部情報処理装置を制御するための制御プログラムの設定を変更する変更ステップとを前記情報処理装置に実行させることを特徴とする制御プログラム。
【請求項１２】
外部情報処理装置と情報処理装置を含むネットワークシステムにおいて、
前記外部情報処理装置は、設定された前記可変識別情報が変更された場合、又は、所定の時間間隔で、該可変識別情報並びに固定識別情報とを所定の共有ネットワークアドレスに対して通知する処理を制御する通知制御手段を有し、
前記情報処理装置は、前記ネットワークから取得した可変識別情報、並びに、固定識別情報を対応付けて組として管理する管理手段と、
前記外部情報処理装置から通知される可変識別情報並びに固定識別情報を、繰り返し取得する処理を行なう取得手段を有し、
前記取得手段における前記外部情報処理装置から通知される可変識別情報並びに固定識別情報を取得する処理に応答して、前記取得手段が取得した可変識別情報と、前記取得手段が取得した固定識別情報の組が、前記管理手段の管理する可変識別情報と固定識別情報の組と異なるか否かを判断する判断手段とを有することを特徴とするネットワークシステム。
【請求項１３】
外部情報処理装置と情報処理装置を含むネットワークシステム制御方法において、
前記外部情報処理装置は、設定された前記可変識別情報が変更された場合、又は、所定の時間間隔で、該可変識別情報並びに固定識別情報とを所定の共有ネットワークアドレスに対して通知する処理を制御する通知制御工程を実行し、
前記情報処理装置は、前記ネットワークから取得した可変識別情報、並びに、固定識別情報を対応付けて組として管理する管理工程と、
前記外部情報処理装置から通知される可変識別情報並びに固定識別情報を、繰り返し取得する処理を行なう取得工程とを実行し、
前記取得手段における前記外部情報処理装置から通知される可変識別情報並びに固定識別情報を取得する処理に応答して、前記取得手段が取得した可変識別情報と、前記取得手段が取得した固定識別情報の組が、前記管理工程が管理する可変識別情報と固定識別情報の組と異なるか否かを判断する判断工程とを実行することを特徴とするネットワークシステム制御方法。
【手続補正２】
【補正対象書類名】明細書
【補正対象項目名】００１２
【補正方法】変更
【補正の内容】
【００１２】
請求項１に記載の発明は、外部情報処理装置とネットワークを介して通信可能な情報処理装置において、
前記外部情報処理装置に固定的に付加された固定識別情報と、外部情報処理装置に可変的に付加された可変識別情報を管理する管理手段と、通信可能な外部情報処理装置から、固定識別情報、並びに、可変識別情報を、ネットワークから取得する取得手段と、前記取得手段が取得した固定識別情報が、前記管理手段が管理する固定識別情報と一致するか否か、及び、前記取得手段が取得した可変識別情報が、前記管理手段が管理する可変識別情報と一致するか否かを判断する判断手段と、前記取得手段が取得した固定識別情報は、前記管理手段が管理する固定識別情報と一致するが、前記取得手段が取得した可変識別情報が、前記管理手段が管理する可変識別情報と一致しないと前記判断手段が判断した場合には、前記取得手段が取得した可変識別情報に基づき、前記固定識別情報を有する外部情報処理装置を制御するための制御プログラムの設定を変更する変更手段とを特徴とする情報処理装置であることを特徴とする。
【手続補正３】
【補正対象書類名】明細書
【補正対象項目名】００１８
【補正方法】変更
【補正の内容】
【００１８】
請求項６乃至請求項１０に記載の発明は、請求項１乃至５に対応する発明の方法の、請求項１１に記載の発明は、請求項１に記載に対応する発明の制御プログラムの発明であるので省略する。請求項１３に記載の発明は、請求項１２に記載の発明のシステムの発明である。